(57)【要約】【課題】マルチ・ディスプレイ・システムの組立及び初期設定等の手間を削減する。【解決手段】複数のディスプレイ装置Ａ〜Ｐを格子状に組み合わせてマルチ・ディスプレイ・システム１を構築する。各ディスプレイ装置Ａ〜Ｐは、装置筐体の上下左右側面に無線通信ユニットを設けており、各無線通信ユニット間の無線通信により、自位置を特定するなどの初期設定を自動で行うと共に、表示対象となる画像の中から、自己が表示すべき範囲を、自位置、装置筐体の額縁サイズ、及び装置間の隙間寸法に基づき特定する。初期設定完了後は、左下隅の基準に位置するディスプレイ装置Ａのみがリモコン信号を受け付け、リモコン信号の内容を他のディスプレイ装置Ｂ〜Ｐへ反映させることにより、ユーザはマルチ・ディスプレイ・システム１を１台の装置のように扱える。【選択図】図１
2011257540.tif 000002
【特許請求の範囲】
【請求項１】
額縁状の装置筐体同士が側面で対向するように組み合わせた複数のディスプレイ装置で、画像を表示するマルチ・ディスプレイ・システムにおいて、
前記複数のディスプレイ装置のそれぞれは、
装置筐体の側面に配置した無線通信手段と、
前記無線通信手段の無線通信結果により、組合せ全体の中での自位置を特定する自位置特定手段と、
前記自位置特定手段が特定した自位置に応じて、表示対象となる画像の中の表示範囲を特定する表示範囲特定手段と、
前記表示範囲特定手段が特定した表示範囲を表示する手段と
を備えることを特徴とするマルチ・ディスプレイ・システム。
【請求項２】
前記自位置特定手段は、対向先から送信されてきた位置情報及び前記位置情報を受信した無線通信手段が配置された側面方向に基づいて自位置を特定する請求項１に記載のマルチ・ディスプレイ・システム。
【請求項３】
前記複数のディスプレイ装置のそれぞれは、
装置筐体の額縁サイズを記憶した手段と、
対向する装置筐体間に係る距離を検出する距離検出手段と
を備え、
前記表示範囲特定手段は、前記額縁サイズ及び前記距離検出手段で検出された距離に基づいて表示範囲を特定する請求項１又は請求項２に記載のマルチ・ディスプレイ・システム。
【請求項４】
前記自位置特定手段は、組合せ全体の一隅箇所を基準にした水平方向及び垂直方向の座標系で、自位置を特定する請求項１乃至請求項３のいずれか一項に記載のマルチ・ディスプレイ・システム。
【請求項５】
前記複数のディスプレイ装置のそれぞれは、
表示に係る設定項目の設定値を記憶する手段を備え、
前記複数のディスプレイ装置の中で、前記自位置特定手段が特定した自位置が前記基準であるディスプレイ装置は、前記無線通信手段を介して、記憶する設定値を他のディスプレイ装置へ送信する請求項４に記載のマルチ・ディスプレイ・システム。
【請求項６】
額縁状の装置筐体が側面同士で対向するように組み合わせた複数のディスプレイ装置で、画像を表示する画像表示方法において、
前記複数のディスプレイ装置のそれぞれは、
装置筐体の側面に無線通信手段を配置しており、
前記無線通信手段の無線通信結果により、組合せ全体の中での自位置を特定するステップと、
特定した自位置に応じて、表示対象となる画像の中の表示範囲を特定するステップと、
特定した表示範囲を表示するステップと
を備えることを特徴とする画像表示方法。
【請求項７】
前記自位置を特定するステップでは、対向先から送信されてきた位置情報及び前記位置情報を受信した無線通信手段が配置された側面方向に基づいて、自位置を特定する請求項６に記載の画像表示方法。
【請求項８】
前記複数のディスプレイ装置のそれぞれは、
装置筐体の額縁サイズを予め記憶しており、
対向する装置筐体間に係る距離を検出するステップを備え、
前記画像の表示範囲を特定するステップでは、前記額縁サイズ及び検出された距離に基づいて表示範囲を特定する請求項６又は請求項７に記載の画像表示方法。
【請求項９】
他のディスプレイ装置と額縁状の装置筐体同士が側面で対向するように組み合わせることが可能なディスプレイ装置において、
装置筐体の側面に配置した無線通信手段と、
前記無線通信手段の無線通信結果により、組合せ全体の中での自位置を特定する自位置特定手段と、
前記自位置特定手段が特定した自位置に応じて、表示対象となる画像の中の表示範囲を特定する表示範囲特定手段と、
前記表示範囲特定手段が特定した表示範囲を表示する手段と
を備えることを特徴とするディスプレイ装置。
【請求項１０】
前記自位置特定手段は、対向先から送信されてきた位置情報及び前記位置情報を受信した無線通信手段が配置された側面方向に基づいて、自位置を特定する請求項９に記載のディスプレイ装置。
【請求項１１】
装置筐体の額縁サイズを記憶した手段と、
組合せ先との装置筐体間に係る距離を検出する距離検出手段と
を備え、
前記表示範囲特定手段は、前記額縁サイズ及び前記距離検出手段で検出された距離に基づいて表示範囲を特定する請求項９又は請求項１０に記載のディスプレイ装置。
【発明の詳細な説明】
【技術分野】
【０００１】
本発明は、複数のディスプレイ装置を組み合わせて形成した一つの大画面で、画像を大きく表示できるようにしたマルチ・ディスプレイ・システム、画像表示方法、及びディスプレイ装置に関し、特に、複数のディスプレイ装置を無線通信で接続することにより、従来に比べて容易にシステムを構築できるようにしたものである。
【背景技術】
【０００２】
従来、複数のディスプレイ装置を、いわゆるディジー・チェーン形式で有線にて接続すると共に、各ディスプレイ装置の画面を格子状に組み合わせて一つの大きな画面を形成したマルチ・ディスプレイ・システムが存在する。このようなマルチ・ディスプレイ・システムは、一台のディスプレイ装置に比べて格段に大きな画像を表示できることから、人が集まる野外・室内ホール等で使用されることが多い。なお、従来のマルチ・ディスプレイ・システムの一例は、下記の特許文献１で開示されている。
【先行技術文献】
【特許文献】
【０００３】
【特許文献１】特開２００６−３３７４８２号公報
【発明の概要】
【発明が解決しようとする課題】
【０００４】
従来のマルチ・ディスプレイ・システムでは、各ディスプレイ装置が有線で接続されることから、システムの構築及びシステムの立ち上げ等に手間を要するという問題があった。また、システムを構築して立ち上げた後でも、ソフト的な各種設定等にも手間を要するという問題がある。すなわち、各ディスプレイ装置が表示する画像範囲の設定、ディスプレイごとの彩度、色相、明度等に関する設定項目を統一する調整等をユーザが行った上で、はじめて大きな画像を適切に表示できることになる。
【０００５】
本発明は、斯かる事情に鑑みてなされたものであり、各ディスプレイ装置を無線通信により接続すると共に、各ディスプレイ装置間の無線通信結果に基づきシステム全体における自位置を自動認識させて、スムーズにシステムを構築して立ち上げられるようにしたマルチ・ディスプレイ・システム、画像表示方法、及びディスプレイ装置を提供することを目的とする。
また、本発明は、ソフト的な各種設定も、無線通信を利用して効率的に行えるようにしたマルチ・ディスプレイ・システム、画像表示方法、及びディスプレイ装置を提供することを目的とする。
【課題を解決するための手段】
【０００６】
上記課題を解決するために本発明に係るマルチ・ディスプレイ・システムは、額縁状の装置筐体同士が側面で対向するように組み合わせた複数のディスプレイ装置で、画像を表示するマルチ・ディスプレイ・システムにおいて、前記複数のディスプレイ装置のそれぞれは、装置筐体の側面に配置した無線通信手段と、前記無線通信手段の無線通信結果により、組合せ全体の中での自位置を特定する自位置特定手段と、前記自位置特定手段が特定した自位置に応じて、表示対象となる画像の中の表示範囲を特定する表示範囲特定手段と、前記表示範囲特定手段が特定した表示範囲を表示する手段とを備えることを特徴とする。
【０００７】
また、本発明に係るマルチ・ディスプレイ・システムは、前記自位置特定手段が、対向先から送信されてきた位置情報及び前記位置情報を受信した無線通信手段が配置された側面方向に基づいて自位置を特定することを特徴とする。
【０００８】
さらに、本発明に係るマルチ・ディスプレイ・システムは、前記複数のディスプレイ装置のそれぞれが、装置筐体の額縁サイズを記憶した手段と、対向する装置筐体間に係る距離を検出する距離検出手段とを備え、前記表示範囲特定手段は、前記額縁サイズ及び前記距離検出手段で検出された距離に基づいて表示範囲を特定することを特徴とする。
【０００９】
さらにまた、本発明に係るマルチ・ディスプレイ・システムは、前記自位置特定手段が、組合せ全体の一隅箇所を基準にした水平方向及び垂直方向の座標系で、自位置を特定することを特徴とする。
【００１０】
その上、本発明に係るマルチ・ディスプレイ・システムは、前記複数のディスプレイ装置のそれぞれが、表示に係る設定項目の設定値を記憶する手段を備え、前記複数のディスプレイ装置の中で、前記自位置特定手段が特定した自位置が前記基準であるディスプレイ装置は、前記無線通信手段を介して、記憶する設定値を他のディスプレイ装置へ送信することを特徴とする。
【００１１】
本発明に係る画像表示方法は、額縁状の装置筐体が側面同士で対向するように組み合わせた複数のディスプレイ装置で、画像を表示する画像表示方法において、前記複数のディスプレイ装置のそれぞれは、装置筐体の側面に無線通信手段を配置しており、前記無線通信手段の無線通信結果により、組合せ全体の中での自位置を特定するステップと、特定した自位置に応じて、表示対象となる画像の中の表示範囲を特定するステップと、特定した表示範囲を表示するステップとを備えることを特徴とする。
【００１２】
また、本発明に係る画像表示方法は、前記自位置を特定するステップでは、対向先から送信されてきた位置情報及び前記位置情報を受信した無線通信手段が配置された側面方向に基づいて、自位置を特定することを特徴とする。
【００１３】
さらに、本発明に係る画像表示方法は、前記複数のディスプレイ装置のそれぞれが、装置筐体の額縁サイズを予め記憶しており、対向する装置筐体間に係る距離を検出するステップを備え、前記画像の表示範囲を特定するステップでは、前記額縁サイズ及び検出された距離に基づいて表示範囲を特定することを特徴とする。
【００１４】
本発明に係るディスプレイ装置は、他のディスプレイ装置と額縁状の装置筐体同士が側面で対向するように組み合わせることが可能なディスプレイ装置において、装置筐体の側面に配置した無線通信手段と、前記無線通信手段の無線通信結果により、組合せ全体の中での自位置を特定する自位置特定手段と、前記自位置特定手段が特定した自位置に応じて、表示対象となる画像の中の表示範囲を特定する表示範囲特定手段と、前記表示範囲特定手段が特定した表示範囲を表示する手段とを備えることを特徴とする。
【００１５】
また、本発明に係るディスプレイ装置は、前記自位置特定手段が、対向先から送信されてきた位置情報及び前記位置情報を受信した無線通信手段が配置された側面方向に基づいて、自位置を特定することを特徴とする。
【００１６】
さらに、本発明に係るディスプレイ装置は、装置筐体の額縁サイズを記憶した手段と、組合せ先との装置筐体間に係る距離を検出する距離検出手段とを備え、前記表示範囲特定手段は、前記額縁サイズ及び前記距離検出手段で検出された距離に基づいて表示範囲を特定することを特徴とする。
【００１７】
本発明にあっては、複数のディスプレイ装置のそれぞれが無線通信手段を具備し、その無線通信手段による無線通信結果により、組合せ全体の中での自位置を特定するので、有線の場合に比べて、システム構築等に係る手間が大幅に削減されるようになる。また、本発明にあっては、複数のディスプレイ装置のそれぞれが、特定した自位置に応じて画像範囲を特定して表示することから、画像表示に至るまでの時間が従来のシステムに比べて大幅に短縮され、システムの立ち上げをスムーズに行えるようになる。
【００１８】
本発明にあっては、対向先から送信されてきた位置情報と、その位置情報を受信した無線通信手段が配置された側面方向を自位置特定の材料として利用するので、正確かつ迅速に自位置を特定できるようになる。たとえば、ディスプレイ装置の右側面に配置した無線通信手段で、対向先から位置情報を受信した場合、そのディスプレイ装置は、垂直方向における高さの位置は、右側面での対向先となるディスプレイ装置と同じになるから、対向先から受信した位置情報の中の高さを示す情報を自位置の高さを特定する材料として利用できるようになる。なお、別の例として、ディスプレイ装置の下側面に配置した無線通信手段で、一向に相手先からの無線通信を受信できない場合は、そのディスプレイ装置は、組合せ全体の中で下端に配置されたと想定できるから、このような場合も自位置を特定する材料として利用できるようになる。
【００１９】
本発明にあっては、額縁サイズを記憶すると共に、対向する相手先との距離を検出して表示範囲を特定するので、複数のディスプレイ装置の各画面で形成されるマルチ・ディスプレイ・システムの組合画面で画像を表示する際、各画面で表示される画像同士に位置的なズレ等が生じなくなり、違和感のない大画像をスムーズに表示できるようになる。
【００２０】
本発明にあっては、組合せ全体の一隅箇所を基準にした水平方向及び垂直方向の座標系で、自位置を特定するので、統一的な座標系に基づいて、各ディスプレイ装置の位置を表すことが可能となり、その結果、各ディスプレイ装置の位置が一つの座標係で正確に把握されるようになり、ソフト的な各種設定等も行いやすくなる。
【００２１】
本発明にあっては、基準に位置するディスプレイ装置が、表示に係る設定項目の設定値を他のディスプレイ装置へ送信するので、ユーザは基準に位置するディスプレイ装置に対して所要の設定を行えば、その設定内容が他のディスプレイ装置へ反映されるようになり、ソフト的な設定等に要する手間も従来に比べて大幅に削減できるようになる。
【発明の効果】
【００２２】
本発明にあっては、複数のディスプレイ装置のそれぞれが無線通信手段を具備して、無線通信結果により、組合せ全体の中での自位置を特定するので、有線の場合に比べて、システム構築等に係る手間を大幅に削減できると共に、特定した自位置に応じて画像の中の表示すべき範囲を特定して表示することから、画像表示に至るまでのシステム立ち上げ時間を従来に比べて大幅に短縮できる。
【００２３】
本発明にあっては、対向先から送信されてきた位置情報と、その位置情報を受信した無線通信手段の配置箇所とを自位置特定の材料として利用するので、正確かつ迅速に自位置を自動で特定でき、システム立ち上げ時に要する手間を削減できる。
【００２４】
本発明にあっては、額縁サイズを記憶すると共に、対向する相手先との距離を検出して表示範囲を特定するので、システムで画像を表示する際、各ディスプレイ装置の画面で表示される画像同士に位置的なズレ等が生じなくなり、違和感のない大画像を自動でスムーズに表示できる。
【００２５】
本発明にあっては、組合せ全体の一隅箇所を基準にした水平方向及び垂直方向の座標系で、自位置を特定するので、統一的な位置座標系に基づいて、各ディスプレイ装置の位置を表すことが可能となり、各ディスプレイ装置に対する各種設定等のしやすさを向上できる。
【００２６】
本発明にあっては、基準に位置するディスプレイ装置が、表示に係る設定項目の設定値を他のディスプレイ装置へ送信するので、ユーザは基準に位置するディスプレイ装置に対して所要の設定を行えば、その設定内容が他のディスプレイ装置へ反映されるようになり、ユーザの好みにあわせるための各種設定等に要する手間も従来に比べて大幅に削減できる。
【図面の簡単な説明】
【００２７】
【図１】本発明の実施形態に係るマルチ・ディスプレイ・システムの全体的な外観正面の概要を示す概略図である。
【図２】（ａ）は実施形態に係るディスプレイ装置の右斜め上からの概略斜視図、（ｂ）は左斜め下からの概略斜視図である。
【図３】複数のディスプレイ装置の組合せ例を示す概略図であり、（ａ）（ｂ）は水平方向に組み合わせた場合を示し、（ｃ）（ｄ）は垂直方向に組み合わせた場合を示し、（ｅ）は格子状に組み合わせた場合を示す。
【図４】ディスプレイ装置の主要な内部構成を示すブロック図である。
【図５】対向箇所における無線通信ユニットの内部構成を示すブロック図である。
【図６】（ａ）は、ディスプレイ装置の額縁状の装置筐体に係る額縁サイズの各種寸法を示す概略図、（ｂ）はディスプレイ装置同士の組合せ箇所における隙間寸法を示す概略図である。
【図７】（ａ）は基準位置のディスプレイ装置から他のディスプレイ装置へ伝送する場合等における情報の伝送経路を示す概略図、（ｂ）は他のディスプレイ装置から基準位置のディスプレイ装置へ情報を伝送する場合の伝送経路を示す概略図である。
【図８】四方向の組合せにおける初期設定の処理手順を示す第１フローチャートである。
【図９】三方向の組合せにおける初期設定の処理手順を示す第２フローチャートである。
【図１０】二方向の組合せにおける初期設定の処理手順の一部を示す第３フローチャートである。
【図１１】二方向の組合せにおける初期設定の処理手順の他部を示す第４フローチャートである。
【図１２】一方向の組合せにおける初期設定の処理手順の一部を示す第５フローチャートである。
【図１３】一方向の組合せにおける初期設定の処理手順の他部を示す第６フローチャートである。
【図１４】（ａ）は表示対象の画像の全体を示す概略図、（ｂ）は各ディスプレイ装置における画像の表示区分を示す概略図である。
【図１５】（ａ）は隅（左下隅）位置における表示区分中の表示範囲に係る寸法関係を示す概略図、（ｂ）は縦辺（左側の周縁辺）位置における表示区分中の表示範囲に係る寸法関係を示す概略図である。
【図１６】（ａ）は横辺（下側の周縁辺）位置における表示区分中の表示範囲に係る寸法関係を示す概略図、（ｂ）は中間位置における表示区分中の表示範囲に係る寸法関係を示す概略図である。
【図１７】本実施形態に係るマルチ・ディスプレイ・システムで画像を大きく表示した状態を示す概略図である。
【図１８】変形例のディスプレイ装置の背面側と別体式の無線通信ユニットの接続状況を示す概略図である。
【図１９】（ａ）は変形例のマルチ・ディスプレイ・システムの概略図、（ｂ）は無線通信ユニットの配置箇所を示す概略図である。
【図２０】（ａ）は別の変形例のマルチ・ディスプレイ・システムの概略図、（ｂ）は無線通信ユニットの配置箇所を示す概略図である。
【発明を実施するための形態】
【００２８】
図１は、本発明の実施形態に係るマルチ・ディスプレイ・システム１の正面側から見た全体的な外観の概要を示している。本実施形態のマルチ・ディスプレイ・システムは、複数のディスプレイ装置Ａ、Ｂ等を格子状に組み合わせて画像を大きく表示できるようにしたものであり、特に無線通信で各ディスプレイ装置間を接続したことにより、有線の接続作業を皆無にした上で、システム立ち上げ（初期設定）及びユーザに合わせた各種設定等に要する手間及び時間を削減して、各ディスプレイ装置の各画面を一つの大画面として容易に活用できるようにしたことを特徴にしている。以下、本発明のマルチ・ディスプレイ・システムについて詳説する。
【００２９】
なお、以下の説明では、各ディスプレイ装置の画面が見える状態を示す図１において、各画面の長手方向をＸ方向（水平方向）、各画面の短手方向をＹ方向（垂直方向）として規定すると共に、図１中のＸ方向を示す矢印が指す向きを右方向、Ｘ方向を示す矢印が指す向きの反対側を左方向、Ｙ方向を示す矢印が指す向きを上方向、Ｙ方向を示す矢印が指す向きの反対側を下方向と規定する（他の図でも同様）。
【００３０】
本実施形態のマルチ・ディスプレイ・システム１は、４行４列の格子状の配列で組み合わせた計１６台のディスプレイ装置Ａ〜Ｐで構成されている。後述するように、図１に示す配列は、左下隅箇所を基準としたＸ方向及びＹ方向の座標系で、各ディスプレイ装置Ａ〜Ｐの位置を表すようにしており、たとえば、（Ｘ、Ｙ）＝（１、１）を基準の座標値として、その基準にディスプレイ装置Ａを配置したものになっている。以下、（Ｘ、Ｙ）＝（１、２）〜（４、４）の各座標値が示す位置に、ディスプレイ装置Ｂ〜Ｐを配置している。なお、基準となる配置箇所は、左下隅に限定されるものではなく、マルチ・ディスプレイ・システムの仕様によっては、他の隅箇所（左上隅、右下隅、又は右上隅のいずれか）にすることも可能である。
【００３１】
図２（ａ）（ｂ）は、複数のディスプレイ装置Ａ〜Ｐの中で、本実施形態において基準となる箇所に配置されたディスプレイ装置Ａの外観を示しており、残りのディスプレイ装置Ｂ〜Ｐも同様の外観になっている。ディスプレイ装置Ａは外観的には、いわゆる薄型テレビと称されるタイプのものであり、ディスプレイ画面部３（液晶ディスプレイパネル、エレクトロルミネセンス（ＥＬ：electroluminescence）ディスプレイパネル、プラズマディスプレイパネル、リアプロジェクション用の表示スクリーン、又は薄型ＣＲＴディスプレイ等）の周囲を額縁状の装置筐体２で囲った構成になっている。また、ディスプレイ装置Ａは、装置筐体２の上下左右の各側面２ａ、２ｂ、２ｃ、２ｄに、組合せ先（対向先）とのデータ送受を行うための無線通信ユニット４〜７（無線通信手段に相当）をそれぞれ表出するように埋設している。この無線通信ユニット４〜７は、各側面２ａ、２ｂ、２ｃ、２ｄの長手方向（各辺に沿った方向）の中央箇所に配置されている。
【００３２】
本実施形態の無線通信ユニット４〜７は、ＲＦＩＤ（Radio Frequency IDentification）に係る無線通信規格に基づくものであり、信号を重畳した無線電波の送受により無線通信を可能にしている。なお、無線通信ユニットとして適用可能な無線通信の種類は、ＲＦＩＤに限定されるものではなく、ＩｒＤＡ（Infrared data Association）の赤外線通信規格、又はＩＥＥＥ８０２系で規定される各種短距離無線通信の規格に基づくもの等を適用することも可能である。
【００３３】
無線通信ユニット４〜７は、それぞれ送信部４ａ〜７ａ及び受信部４ｂ〜７ｂをセットにして具備している。無線通信ユニット４〜７が具備する送信部４ａ〜７ａ及び受信部４ｂ〜７ｂの配置は、装置筐体２の上下の各側面２ａ、２ｂ、左右の各側面２ｃ、２ｄで、それぞれ逆にしている。
【００３４】
具体的には、装置筐体２の上側面２ａに設けられた無線通信ユニット４は、右側に送信部４ａを配置すると共に、左側に受信部４ｂを配置しているが（図２（ａ）参照）、下側面２ｂに設けられた無線通信ユニット５は、右側に受信部５ｂを配置すると共に、左側に送信部５ａを配置している（図２（ｂ）参照）。同様に、装置筐体２の右側面２ｄに設けられた無線通信ユニット７は、下側に送信部７ａを配置すると共に、上側に受信部７ｂを配置しているが（図２（ａ）参照）、左側面２ｃに設けられた無線通信ユニット６は、下側に受信部６ｂを配置すると共に、上側に送信部６ａを配置している（図２（ｂ）参照）。このように送／受信部４ａ〜７ａ、４ｂ〜７ｂの配置を逆にすることで、図１に示すように複数のディスプレイ装置が組み合わされた状態で、対向する無線通信ユニット同士の送／受信部がそれぞれ対向して無線通信を行えるようにしている。
【００３５】
また、無線通信関連以外のものとして、ディスプレイ装置Ａは、装置筐体２の正面２ｅの右隅に、リモコン装置用のリモコン受光部８を設けていると共に、上側面２ａに本体操作部１８を設けている。このような外観的な構成を有する各ディスプレイ装置Ａ〜Ｐは、所要の連結金具で装置筐体同士が側面で対向するように連結されることで、図１に示すように格子状に組み合わされた形態になる。
【００３６】
なお、本発明で想定できるマルチ・ディスプレイ・システムにおいて、各ディスプレイ装置Ａ〜Ｐが組み合わされる形態は、図１に示す４行４列の格子状に限定されるものではなく、様々な組合せ形態が考えられ、具体的な組合せ形態としては、図３（ａ）〜図３（ｅ）に示すようマルチ・ディスプレイ・システム５０、６０、７０、８０、９０等が想定できる。
【００３７】
図３（ａ）は水平方向へ直列状に計２台のディスプレイ装置Ａ、Ｂを組み合わせた形態のマルチ・ディスプレイ・システム５０を示し、図３（ｂ）は水平方向へ直列状に３台以上のディスプレイ装置Ａ、Ｂ、Ｃ等を組み合わせた形態のマルチ・ディスプレイ・システム６０を示している。また、図３（ｃ）は垂直方向へ直列状に計２台のディスプレイ装置Ａ、Ｂを組み合わせた形態のマルチ・ディスプレイ・システム７０を示し、図３（ｄ）は垂直方向へ直列状に３台以上のディスプレイ装置Ａ、Ｂ、Ｃ等を組み合わせた形態のマルチ・ディスプレイ・システム８０を示している。さらに、図３（ｅ）は、格子状に計４台以上のディスプレイ装置Ａ、Ｂ、Ｃ、Ｄ等を組み合わせた形態のマルチ・ディスプレイ・システム９０を示している。以上のように本発明では、本実施形態に係るディスプレイ装置Ａ等を、ｍ行ｎ列（ｍ、ｎは整数）で適宜組合せることにより、様々な形態のマルチ・ディスプレイ・システムを構成することが可能になっている。
【００３８】
図４は、ディスプレイ装置Ａの本発明に関連する主要な内部構成を示すブロック図であり、他のディスプレイ装置Ｂ〜Ｐも同様の内部構成になっている。ディスプレイ装置Ａは、装置全体の各種制御処理を行う制御部１０を中心に、様々なコンポーネントを具備している。具体的にディスプレイ装置Ａは、映像表示に関連する部分として、図示しないアンテナと接続されるチューナユニット１１、ビデオ信号入力部１２、ビデオ切替部１３、ビデオ信号出力部１４、フレームメモリ１５、映像処理回路１６、キャラクタジェネレータ１７、及びディスプレイ画面部３を有している。
【００３９】
また、ディスプレイ装置Ａは、ユーザインターフェイスに関連する部分として、装置筐体２に設けられる本体操作部１８と、リモコン装置２５から発せられる赤外光（操作信号を含む赤外光）のリモコン受光部８とを具備し、さらに、各種データ・情報等を記憶するためにＲＯＭ１９、メモリ２０も有し、制御部１０等を所定のクロック数で作動させるための発信部２１も有する。そして、ディスプレイ装置Ａは、上述した無線通信ユニット４〜７を具備して、制御部１０に接続させている。以下、ディスプレイ装置Ａが備える上記の各部を順次説明する。
【００４０】
チューナユニット１１は、アンテナで受信される各種の放送信号の中から、ユーザが本体操作部１８又はリモコン装置２５を操作することにより選局した放送信号について復調や誤り訂正等を行い、ビデオ切替部１３へビデオ信号を出力する。ビデオ信号入力部１２は、外部のビデオ信号の出力が可能な装置（たとえば、ＨＤＤ等の記憶媒体に番組の録画を行うビデオ装置、ＤＶＤ等の記憶媒体の再生を行う再生装置、セットトップボックス等の各種装置）との接続用のビデオ入力端子を具備し、このビデオ入力端子で受け付けたビデオ信号をビデオ切替部１３へ出力するものである。
【００４１】
ビデオ切替部１３は、ビデオ信号の出力元としてチューナユニット１１又はビデオ信号入力部１２の切替を行うと共に、入力されたビデオ信号の伝送先として、ビデオ信号出力部１４又はフレームメモリ１５を切り替えるものである。なお、このようなビデオ切替部１３の切替処理は、制御部１０からの制御信号により指示されており、制御部１０は、本体操作部１８又はリモコン装置２５で受け付けたユーザの操作により、ビデオ切替部１３の切替制御を行う。ビデオ信号出力部１４は、ビデオ信号を扱うことが可能な外部の装置と接続されるためのビデオ出力端子を具備し、ビデオ切替部１３からビデオ信号が伝送されてきた場合、ビデオ出力端子に接続された外部の装置へビデオ信号の出力を行う。
【００４２】
フレームメモリ１５は、ビデオ信号を１フレームごとに随時記憶し、フレーム単位で画像信号を映像処理回路１６へ出力する。映像処理回路１６は、フレームメモリ１５から送られてくる画像信号に係る画像の表示を行うための各種処理（ＩＰ（Interlace to Progressive）変換、スケーリング、デジタルＲＧＢ変換、エンラージ処理等）を行うものである。この映像処理回路１６は、ディスプレイ装置Ａがマルチ・ディスプレイ・システムに組み込まれて作動する場合は、後述するように制御部１０の制御指示にしたがって、表示範囲の切り出し処理（表示範囲に応じた画像信号の画素部分のみを表示するための処理）を行うことになる。
【００４３】
キャラクタジェネレータ１７は、映像処理回路１６から送られてくる画像信号をディスプレイ画面部３へ伝送しており、ユーザよりメニュー等を表示するための操作を受け付けた場合は、制御部１０から供給されるＯＳＤ表示形式のメニュー画像を画像信号に重畳して、ディスプレイ画面部３へ伝送する。このようにディスプレイ画面部３へ伝送された画像信号は、画像としてディスプレイ画面部３で表示される。
【００４４】
なお、上記は主に画像の表示に係る処理部分に応じたものであり、ディスプレイ装置Ａには、音声出力に係る処理部分も当然設けられているが、それらの部分は、本発明と直接的に関係しないので、その説明は省略する。
【００４５】
また、本体操作部１８は、電源入切ボタン、音量調整ボタン、チャンネル切替ボタン、入力切替ボタン、モード切替ボタン等を有しており、電源入切ボタンの電源入操作がユーザにより行われると、ディスプレイ装置Ａに電源が供給されて作動状態となり、その他の各ボタンがユーザにより操作されると、操作内容が制御部１０へ伝えられる。リモコン装置２５は、上下左右キー、選択キー、チャンネルキー等の各種キーを有しており、ユーザによりキーのいずれかが操作されると、操作に応じた操作信号を含む赤外光を発し、その赤外光はリモコン受光部８を介して制御部１０へ伝えられる。
【００４６】
ＲＯＭ１９は、制御部１０が行う各種制御処理の内容を規定したプログラムｐを予め記憶していると共に、装置筐体２における正面からの各部の寸法（額縁サイズ）を含む額縁サイズデータｄも予め記憶している。
【００４７】
図６（ａ）は、ＲＯＭ１９に記憶されている装置筐体２の額縁サイズデータｄに含まれる各寸法を示したものである。すなわち、額縁サイズデータｄは、装置筐体２の水平寸法ｗ１、垂直寸法ｈ１、上側面２ａ側の上額縁幅寸法ｈ２、下側面２ｂ側の下額縁幅寸法ｈ３、左側面２ｃ側の左額縁幅寸法ｗ２、及び右側面２ｄ側の右額縁幅寸法ｗ３を含んでいる。これらの各寸法は、後述するように、ディスプレイ装置Ａがマルチ・ディスプレイ・システムに組み込まれて使用される場合に、制御部１０が、ディスプレイ装置Ａの表示する画像の表示範囲を特定する際に利用される。
【００４８】
また、図４のブロック図に示されるメモリ２０は、書き換え可能な半導体メモリであり、ディスプレイ装置Ａの各種設定項目（表示に係る設定項目を含む）に対する設定値を含む設定テーブルｔを記憶している。設定テーブルｔが含む設定値に係る設定項目としては、彩度、色相、明度、輝度、コントラスト等がある。なお、メモリ２０には、初期設定の処理で用いられる基準時間（デフォルトは２分）等も記憶されている。
【００４９】
そして図２（ａ）（ｂ）で説明した送信部４ａ〜７ａ及び受信部４ｂ〜７ｂを有する無線通信ユニット４〜７は、図４に示すように、制御部１０に接続されており、制御部１０の制御に従って無線処理（送受信処理）を行い、制御部１０で指示された内容等を送信すると共に、受信した内容は制御部１０へ伝送されるようになっている。
【００５０】
図５は、無線通信ユニット４、５の詳しい内部構成を示すブロック図であり、図１に示すマルチ・ディスプレイ・システム１の一部であるディスプレイ装置Ａ及びディスプレイ装置Ｂが組み合わされて対向した箇所に配置されるディスプレイ装置Ａの上側面２ａに設けられた無線通信ユニット４等と、ディスプレイ装置Ｂの下側面２ｂに設けられた無線通信ユニット５等とを示している。
【００５１】
無線通信ユニット４の送信部４ａは、乗車カード又は電子マネー等で用いられるＩＣカードと同様に、相手側から発信される電力により駆動するようになっている。ただし、送信部４ａは、ＩＣカードのように固定の情報のみを送信するのではなく、制御部１０の指示に応じて様々な内容（情報）を送信できるようになっている。送信部４ａは内部に、送信処理部３０、検波部３１、入力処理部３２、及び送信側電界強度検出部３３を有している。送信処理部３０は基本的に、制御部１０の制御に従ったタイミングで、制御部１０が指示する内容（情報）を無線により送信するものであるが、対向する組合せ先の無線通信ユニット５から送られてくる電力の受け取りを行う機能も具備している。検波部３１は送信処理部３０が受け取った電力の検波を行うものであり、入力処理部３２は、制御部１０に対する入力処理を行うものである。送信側電界強度検出部３３は、後述する装置筐体間の隙間寸法ｃの検出のために（図６（ｂ）参照）、送信処理部３０での送信に係る電界の強度を検出するものであり、検出した強度を制御部１０へ伝送する。
【００５２】
また、受信部４ｂは、受信処理部４０、検波部４１、入力処理部４２、電力増幅部４３、変調部４４、出力処理部４５、及び受信側電界強度検出部４６を有している。受信処理部４０は基本的に、対向する組合せ先の無線通信ユニット５の送信部５ａから送信される内容（情報）を受信するものであるが、電力増幅部４３から伝送される電力を無線で送信する機能も具備している。検波部４４は、受信処理部４０で受信された情報の検波処理を行うものであり、検波した情報を入力処理部４２へ伝送する。入力処理部４２は、検波した情報を制御部１０へ伝えるための入力処理を行うものであり、処理後の情報を制御部１０へ伝える。
【００５３】
一方、出力処理部４５は、電力を送るための出力信号を制御部１０の制御に従って変調部４４へ送っており、変調部４４は、発信部２１の発する周波数を利用して信号変調を行った信号を電力増幅部４３へ送る。電力増幅部４３は、変調部４４からの信号を受けて、所定の値に増幅した電力を受信処理部４０へ伝える。また、受信側電界強度検出部４６は、受信処理部４０での受信に係る電界の強度を検出するものであり、検出した強度を制御部１０へ伝送する。なお、上述した無線通信ユニット４の構成は、ディスプレイ装置Ａが具備する残りの無線通信ユニット５〜７でも同様であると共に、他のディスプレイ装置Ｂ〜Ｐが備える無線通信ユニット４〜７でも同様である。
【００５４】
次に、制御部１０が、ＲＯＭ１９に記憶されるプログラムｐの規定に基づき行う本発明に関連する処理内容について説明する。制御部１０は、組合せに係る初期設定として、ディスプレイ装置Ａが単独で使用されるのか、又はマルチ・ディスプレイ・システムとして使用されるのかを検出すると共に、マルチ・ディスプレイ・システムとして使用される場合は、システム中のいずれの位置で使用されるのかを検出する処理を行う。また、マルチ・ディスプレイ・システムとして使用される場合では、表示範囲の特定処理を行うと共に、設定項目（彩度、色相、明度等）をシステム全体で統一するための処理を行う。
【００５５】
組合せに係る初期設定において、まず制御部１０は自位置特定手段として機能し、各無線通信ユニット４〜７の無線通信結果により、システム中での自位置を特定する処理を行う。すなわち、無線通信を受信した無線通信ユニット４〜７が配置される側面２ａ〜２ｄの方向、無線通信を受信しない無線通信ユニット４〜７が配置される側面２ａ〜２ｄの方向、及び他のディスプレイ装置から送られてくる位置情報等により、システム中のいずれの座標位置にディスプレイ装置が配置されているのかを制御部１０は特定することになる（自位置の特定）。この処理に対するプログラムｐの規定は、最初に四方向で無線通信を行う場合を検討し、二番目に三方向で無線通信を行う場合を検討し、三番目に二方向で無線通信を行う場合を検討し、最後に一方向のみで無線通信を行う場合を検討する内容になっている。
【００５６】
そして、各ディスプレイ装置Ａ〜Ｐが特定した自位置の情報（位置情報）は、基準のディスプレイ装置Ａへ集められ、基準（マスター）のディスプレイ装置Ａの制御部１０は、集められた全ての位置情報から、組み合わされたマルチ・ディスプレイ・システム１の形態を特定し（何行・何列であるかを特定）、特定した形態を他（スレーブ）のディスプレイ装置Ｂ〜Ｐへ伝送する。それにより、全ディプレイ装置Ａ〜Ｐは、何行・何列のシステム全体における自位置を特定できるようになる。
【００５７】
なお、四方向で無線通信を行う場合とは、例えば、ディスプレイ装置が図１に示すような格子状のマルチ・ディスプレイ・システム１に使用された場合では（Ｘ、Ｙ）＝（２、２）、（２、３）、（３、３）、（３、３）に位置するときが該当する。また、三方向で無線通信を行う場合とは、例えば、ディスプレイ装置が図１に示すような格子状のマルチ・ディスプレイ・システム１に使用された場合では（Ｘ、Ｙ）＝（１、２）、（１、３）、（２、１）、（２、４）、（３、１）、（３、４）、（４、２）、（４、３）に位置するときが該当する。さらに、二方向で無線通信を行う場合とは、例えば、ディスプレイ装置が図１に示すような格子状のマルチ・ディスプレイ・システム１に使用された場合では（Ｘ、Ｙ）＝（１、１）、（１、４）、（４、１）、（４、４）の隅に位置するときが該当する。そして、一方向で無線通信を行う場合とは、例えば、ディスプレイ装置が図３（ａ）、（ｃ）に示すような直列状のマルチ・ディスプレイ・システム５０、７０に使用された場合などが該当する。
【００５８】
また、図７（ａ）は、図１に示すようなマルチ・ディスプレイ・システムにおいて、位置情報を伝送していく場合の伝送順路を示しており、自位置を特定した各ディスプレイ装置の制御部１０は、図７（ａ）の示すように、基準位置のディスプレイ装置Ａから右へ位置情報を伝送すると共に、最下段の各ディスプレイ装置から上方へ位置情報を伝送していくことになる。なお、図７（ａ）に示す伝送経路は、設定項目に対する設定値又は各種信号を基準位置のディスプレイ装置から他のディスプレイ装置へ伝送する場合にも適用される。また、各ディスプレイ装置が自位置の特定が完了した旨を表す情報等を、基準位置のディスプレイ装置へ伝送する順路は、上記の場合とは逆に図７（ｂ）に示すように、最上段の各ディスプレイ装置から下方へ情報を伝送し、それから最下段において右から左へ情報を伝送することになる。
【００５９】
図７に示すような順路で情報を伝送する数珠つなぎ的な接続の仕方は、一般に、デイジー・チェーン（daisy chain）接続と称されており、無線通信ユニット４〜７で、無線通信対象の情報、データ、制御信号に対して波形整形や増幅などの処理が施される。なお、デイジー・チェーンに関する規格は、ＩＥＥＥ１３９４等に規定される。
【００６０】
図８は、組合せの初期設定の処理で最初に行う四方向での無線通信の場合の制御部１０の制御に基づく処理手順を示した第1フローチャートである。この第1フローチャートは、ディスプレイ装置が電源を入れられた状態で自動的に開始される処理内容を示しており、まず、電源が入れられると、制御部１０は、四方に配置された無線通信ユニット４〜７を用いて、自らの存在を示すための認識信号を四方向へ向かって送信する（Ｓ１）。次に、制御部１０は、他のディスプレイ装置から発せられた認識信号を四方向から無線通信ユニット４〜７の全てで受信したか否かを判断する（Ｓ２）。
【００６１】
四方向の全てで認識信号を受信していない場合（Ｓ２：ＮＯ）、電源が入れられてから基準時間（例えば、２分）が経過したか否かを制御部１０は判断し（Ｓ３）、基準時間が経過した場合（Ｓ３：ＹＥＳ）は、図９の第２フローチャートに示す三方向での受信の場合に係る処理へ移行し、基準時間が経過していない場合（Ｓ３：ＮＯ）、Ｓ１の段階へ戻り、Ｓ１及びＳ２の処理を繰り返すことになる。
【００６２】
また、四方向の全てで認識信号を受信した場合（Ｓ２：ＹＥＳ）、下側面２ｂの無線通信ユニット５で、下方向から位置情報（位置座標）を受信したか否かを制御部１０は判断し（Ｓ４）、位置情報を受信しない場合（Ｓ４：ＮＯ）、位置情報の受信待ちの状態となる。そして、位置情報を受信した場合（Ｓ４：ＹＥＳ）、制御部１０は、受信した位置情報に対して、Ｘ座標は同値にして、Ｙ座標には受信した座標値に１を加えた値を自位置の座標として特定する（Ｓ５）。すなわち、下方向から（Ｘ、Ｙ）＝（ｘ１、ｙ１）という位置情報を受信した場合（ｘ１、ｙ１は整数）、制御部１０は自位置として、（Ｘ、Ｙ）＝（ｘ１、ｙ１＋１）という座標値を特定することになる。
【００６３】
それから、制御部１０は、特定した座標値を上側面２ａの無線通信ユニット４を用いて上方向へ送信する（Ｓ６）。そして、制御部１０は、特定した位置情報と共に位置情報の特定完了の旨を示す完了信号を、下側面２ｂの無線通信ユニット５を用いて、下方向へ送信する（Ｓ７）。なお、この後、制御部１０は、図７（ｂ）に示す伝送順路において、他のディスプレイ装置の完了信号を上方向から受信した場合も、Ｓ７の段階と同様に、下方向へ伝送することになる。以上のような処理で、四方向で無線通信を行う箇所に配置された場合の処理が終了することになる。
【００６４】
図９は、組合せの初期設定の処理で二番目に行う三方向での無線通信の場合の制御部１０の制御に基づく処理手順を示した第２フローチャートである。この第２フローチャートの処理は、図８の第1フローチャートにおいて、基準時間内に四方向の全て認識信号を受信しなかった場合（Ｓ３：ＮＯ）に開始されることになり、まず、制御部１０は、他のディスプレイ装置より発せられた認識信号を、無線通信ユニット４〜７のいずれか３個の三方向で受信したか否かを判断する（Ｓ１０）。
【００６５】
三方向で認識信号を受信していない場合（Ｓ１０：ＮＯ）、図１０の第３フローチャートに示す二方向の受信の場合に係る処理へ移行する。また、三方向で認識信号を受信した場合（Ｓ１０：ＹＥＳ）、次に制御部１０は、下側面２ｂの無線通信ユニット５で下方向からの認識信号を受信したか否かを判断する（Ｓ１１）。下方向から認識信号を受信した場合（Ｓ１１：ＹＥＳ）、制御部１０は、上側面２ａの無線通信ユニット４で上方向からの認識信号を受信したか否かを判断する（Ｓ１２）。
【００６６】
上方向から認識信号を受信した場合（Ｓ１２：ＹＥＳ）、制御部１０は、下側面２ｂの無線通信ユニット５で、下方向から位置情報（位置座標）を受信したか否かを制御部１０は判断し（Ｓ１３）、位置情報を受信しない場合（Ｓ１３：ＮＯ）、位置情報の受信待ちの状態となる。なお、Ｓ１２の段階で上方向からの認識信号を受信することで、図１に示すような格子状のマルチ・ディスプレイ・システム１が構築される場合において、制御部１０に係るディスプレイ装置は、（Ｘ、Ｙ）＝（１、２）、（１、３）、（４、２）、（４、３）のいずれかの箇所に配置されたと推定できる。
【００６７】
そして、下方向から位置情報を受信した場合（Ｓ１３：ＹＥＳ）、制御部１０は、受信した位置情報に対して、Ｘ座標は同値にして、Ｙ座標には受信した座標値に１を加えた値を自位置の座標として特定する（Ｓ１４）。それから、制御部１０は、特定した座標値を上側面２ａの無線通信ユニット４を用いて上方向へ送信し（Ｓ１５）、特定した位置情報と共に位置情報の特定完了の旨を示す完了信号を、下側面２ｂの無線通信ユニット５を用いて、下方向へ送信する（Ｓ１６）。なお、この後、制御部１０は、他のディスプレイ装置の完了信号を上方向から受信した場合、Ｓ１６の段階と同様に、下方向へ伝送することになる。
【００６８】
また、Ｓ１１の段階で、下方向から認識信号を受信しなかった場合（Ｓ１１：ＮＯ）、図１に示すような格子状のマルチ・ディスプレイ・システム１が構築される場合において、制御部１０に係るディスプレイ装置は（Ｘ、Ｙ）＝（２、１）、（３、１）のいずれかに配置されたと推定できるので、制御部１０は、左側面２ｃの無線通信ユニット６で左方向から位置情報（位置座標）を受信したか否かを判断する（Ｓ１７）。位置情報を受信しない場合（Ｓ１７：ＮＯ）、位置情報の受信待ちの状態となり、位置情報を受信すると（Ｓ１７：ＹＥＳ）、制御部１０は、受信した位置情報に対して、Ｘ座標には、受信した座標値に１を加えると共に、Ｙ座標は受信した座標値と同値を用いて、自位置の座標として特定する（Ｓ１８）。すなわち、左方向から（Ｘ、Ｙ）＝（ｘ１、ｙ１）という位置情報を受信した場合（ｘ１、ｙ１は整数）、制御部１０は自位置として、（Ｘ、Ｙ）＝（ｘ１＋１、ｙ１）という座標値を特定することになる。
【００６９】
それから、制御部１０は、特定した座標値を上側面２ａの無線通信ユニット４及び右側面２ｄの無線通信ユニット７を用いて上・右方向へ送信し（Ｓ１９）、特定した位置情報と共に位置情報の特定完了の旨を示す完了信号を、左側面２ｃの無線通信ユニット６を用いて、左方向へ送信する（Ｓ２０）。なお、この後、制御部１０は、他のディスプレイ装置の完了信号を上・右方向から受信した場合も、Ｓ２０の段階と同様に、左方向へ送信することになる。
【００７０】
さらに、Ｓ１２の段階で、上方向から認識信号を受信しなかった場合（Ｓ１２：ＮＯ）、図１に示すような格子状のマルチ・ディスプレイ・システム１が構築される場合において、制御部１０に係るディスプレイ装置は（Ｘ、Ｙ）＝（２、４）、（３、４）のいずれかに配置されたと推定できるので、制御部１０は、下側面２ｂの無線通信ユニット５で、下方向から位置情報（位置座標）を受信したか否かを判断し（Ｓ２１）、位置情報を受信しない場合（Ｓ２１：ＮＯ）、位置情報の受信待ちの状態となる。
【００７１】
そして、位置情報を受信した場合（Ｓ２１：ＹＥＳ）、制御部１０は、受信した位置情報に対して、Ｘ座標は同値にして、Ｙ座標には受信した座標値に１を加えた値を自位置の座標として特定する（Ｓ２２）。それから、制御部１０は、特定した位置情報と共に位置情報の特定完了の旨を示す完了信号を、下側面２ｂの無線通信ユニット５を用いて、下方向へ送信する（Ｓ１６）。以上のような処理で、三方向で無線通信を行う箇所に配置された場合の処理が終了することになる。
【００７２】
図１０は、組合せの初期設定の処理で三番目に行う二方向での無線通信の場合の制御部１０の制御に基づく処理手順の一部を示した第３フローチャートである。この第３フローチャートの処理は、図９の第２フローチャートにおいて、三方向から認識信号を受信しなかった場合に（Ｓ１０：ＮＯ）、開始されることになり、まず、制御部１０は、他のディスプレイ装置より発せられた認識信号を、無線通信ユニット４〜７のいずれか２個の二方向で受信したか否かを判断する（Ｓ３０）。
【００７３】
二方向で認識信号を受信していない場合（Ｓ３０：ＮＯ）、図１２の第５フローチャートに示す一方向の受信の場合に係る処理へ移行する。また、二方向で認識信号を受信した場合（Ｓ３０：ＹＥＳ）、次に制御部１０は、上側面２ａの無線通信ユニット４及び下側面２ｂの無線通信ユニット５の上下方向で認識信号を受信したか否かを判断する（Ｓ３１）。上下方向で認識信号を受信した場合（Ｓ３１：ＹＥＳ）、制御部１０は、下側面２ｂの無線通信ユニット５で、下方向から位置情報（位置座標）を受信したか否かを制御部１０は判断し（Ｓ３２）、位置情報を受信しない場合（Ｓ３２：ＮＯ）、位置情報の受信待ちの状態となる。なお、Ｓ３１の段階で上下方向からの認識信号を受信することは、図３（ｄ）に示すような垂直方向で直列状のマルチ・ディスプレイ・システム８０が構築される場合で、制御部１０に係るディスプレイ装置が（Ｘ、Ｙ）＝（１、２）のような場所に位置すると推定される。
【００７４】
そして、下方向から位置情報を受信した場合（Ｓ３２：ＹＥＳ）、制御部１０は、受信した位置情報に対して、Ｘ座標は同値にして、Ｙ座標には受信した座標値に１を加えた値を自位置の座標として特定する（Ｓ３３）。それから、制御部１０は、特定した座標値を上側面２ａの無線通信ユニット４を用いて上方向へ送信し（Ｓ３４）、特定した位置情報と共に位置情報の特定完了の旨を示す完了信号を、下側面２ｂの無線通信ユニット５を用いて、下方向へ送信する（Ｓ３５）。なお、制御部１０は、他のディスプレイ装置の完了信号を上方向から受信した場合、Ｓ３５の段階と同様に、下方向へ伝送することになる。
【００７５】
また、Ｓ３１の段階で、上下方向で認識信号を受信しなかった場合（Ｓ３１：ＮＯ）、次に、制御部１０は、左側面２ｃの無線通信ユニット６及び右側面２ｄの無線通信ユニット７の左右方向で認識信号を受信したか否かを判断する（Ｓ３６）。左右方向で認識信号を受信した場合（Ｓ３６：ＹＥＳ）、左方向から位置情報（位置座標）を受信したか否かを制御部１０は判断する（Ｓ３７）。なお、Ｓ３６の段階で左右方向からの認識信号を受信することは、図３（ｂ）に示すような水平方向で直列状のマルチ・ディスプレイ・システム６０が構築される場合で、制御部１０に係るディスプレイ装置が（Ｘ、Ｙ）＝（２、１）のような場所に位置すると推定される。
【００７６】
そして、制御部１０は、左側面２ｃの無線通信ユニット６で左方向からの位置情報を受信しない場合（Ｓ３７：ＮＯ）、位置情報の受信待ちの状態となり、位置情報を受信すると（Ｓ３７：ＹＥＳ）、制御部１０は、受信した位置情報に対して、Ｘ座標には、受信した座標値に１を加えると共に、Ｙ座標は受信した座標値と同値を用いて、自位置の座標として特定する（Ｓ３８）。それから、制御部１０は、特定した座標値を右側面２ｄの無線通信ユニット７を用いて右方向へ送信し（Ｓ３９）、特定した位置情報と共に位置情報の特定完了の旨を示す完了信号を、左側面２ｃの無線通信ユニット６を用いて、左方向へ送信する（Ｓ４０）。なお、制御部１０は、他のディスプレイ装置の完了信号を右方向から受信した場合も、Ｓ４０の段階と同様に、左方向へ伝送することになる。
【００７７】
さらに、Ｓ３６の段階で、左右方向で認識信号を受信しなかった場合（Ｓ３６：ＮＯ）、次に、制御部１０は、右側面２ｄの無線通信ユニット７及び上側面２ａの無線通信ユニット４の右・上方向で認識信号を受信したか否かを判断する（Ｓ４１）。右・上方向で認識信号を受信しなかった場合（Ｓ４１：ＮＯ）、図１１の第４フローチャートに示す処理へ移行する。
【００７８】
また、右・上方向で認識信号を受信した場合は（Ｓ４１：ＹＥＳ）、図１に示すような格子状配置のマルチ・ディスプレイ・システム１が構築される場合で、制御部１０に係るディスプレイ装置が（Ｘ、Ｙ）＝（１、１）の基準に配置されたと直ちに特定できる（Ｓ４２）。そして、制御部１０は、特定した座標値を右側面２ｄの無線通信ユニット７及び上側面２ａの無線通信ユニット４を用いて右・上方向へ送信する（Ｓ４３）。なお、この後、基準に位置するディスプレイ装置Ａの制御部１０は、他のディスプレイ装置から完了信号（位置情報を含む信号）が送信されてくるのを待つと共に、全ディスプレイ装置の完了信号の受信に伴い、マルチ・ディスプレイ・システムの形態（列数・行数）を特定し、特定した形態を他のディスプレイ装置へ伝送することになる。
【００７９】
図１１は、図１０の第３フローチャートにおいて、Ｓ４１の段階で、右・上方向で認識信号を受信しなかった場合（Ｓ４１：ＮＯ）の処理手順を示す第４フローチャートである。この第４フローチャートにおいて、制御部１０は、左側面２ｃの無線通信ユニット６及び上側面２ａの無線通信ユニット４の左・上方向で認識信号を受信したか否かを判断する（Ｓ４４）。左・上方向で認識信号を受信した場合（Ｓ４４：ＹＥＳ）、左方向から位置情報（位置座標）を受信したか否かを制御部１０は判断する（Ｓ４５）。なお、Ｓ４４の段階で左・上方向からの認識信号を受信することは、図１に示すような格子状のマルチ・ディスプレイ・システム１が構築される場合で、制御部１０に係るディスプレイ装置が（Ｘ、Ｙ）＝（４、１）のような右下隅箇所に位置すると推定できる。
【００８０】
左方向から位置情報を受信しない場合（Ｓ４５：ＮＯ）、位置情報の受信待ちの状態となり、位置情報を受信すると（Ｓ４５：ＹＥＳ）、制御部１０は、受信した位置情報に対して、Ｘ座標には、受信した座標値に１を加えると共に、Ｙ座標は受信した座標値と同値を用いて、自位置の座標として特定する（Ｓ４６）。それから、制御部１０は、特定した位置情報（座標値）を上側面２ａの無線通信ユニット４を用いて上方向へ送信し（Ｓ４７）、特定した位置情報と共に位置情報の特定完了の旨を示す完了信号を、左側面２ｃの無線通信ユニット６を用いて、左方向へ送信する（Ｓ４８）。なお、制御部１０は、他のディスプレイ装置の完了信号を上方向から受信した場合も、Ｓ４８の段階と同様に、左方向へ伝送することになる。
【００８１】
また、Ｓ４４の段階で、左・上方向で認識信号を受信しなかった場合（Ｓ４４：ＮＯ）、下方向から位置情報（位置座標）を受信したか否かを制御部１０は判断する（Ｓ４９）。なお、Ｓ４４の段階で左・上方向からの認識信号を受信しなかったということは、図１に示すような格子状のマルチ・ディスプレイ・システム１が構築される場合で、制御部１０に係るディスプレイ装置が（Ｘ、Ｙ）＝（１、４）（４、１）のような左又は右の隅箇所に位置すると推定できる。
【００８２】
下方向から位置情報を受信しない場合（Ｓ４９：ＮＯ）、位置情報の受信待ちの状態となり、下方向から位置情報を受信した場合（Ｓ４９：ＹＥＳ）、制御部１０は、受信した位置情報に対して、Ｘ座標は同値にして、Ｙ座標には受信した座標値に１を加えた値を自位置の座標として特定する（Ｓ５０）。それから、制御部１０は、特定した位置情報と共に位置情報の特定完了の旨を示す完了信号を、下側面２ｂの無線通信ユニット５を用いて、下方向へ送信する（Ｓ５１）。以上に説明した処理で、二方向の無線通信に係る処理が終了する。
【００８３】
図１２は、組合せの初期設定の処理で最後に行う一方向での無線通信の場合の制御部１０の制御に基づく処理手順の一部を示した第５フローチャートである。この第５フローチャートの処理は、図１０の第３フローチャートにおいて、二方向から認識信号を受信しなかった場合に（Ｓ３０：ＮＯ）、開始されることになり、まず、制御部１０は、他のディスプレイ装置より発せられた認識信号を一方向から、無線通信ユニット４〜７のいずれか１個で受信したか否かを判断する（Ｓ６０）。
【００８４】
一方向で認識信号を受信していない場合は（Ｓ６０：ＮＯ）、ディスプレイ装置単独での使用になることから、通常の単独での使用処理を行う（Ｓ６１）。この場合、これで初期設定に係る処理は終了することになる。
【００８５】
また、一方向で認識信号を受信した場合（Ｓ６０：ＹＥＳ）、次に、制御部１０は、その認識信号の受信が左方向からの受信であるか否かを判断する（Ｓ６２）。左方向からの受信である場合（Ｓ６２：ＹＥＳ）、制御部１０は、左側面２ｃの無線通信ユニット６で左方向から位置情報（位置座標）を受信したか否かを判断する（Ｓ６３）。位置情報を受信しない場合（Ｓ６３：ＮＯ）、位置情報の受信待ちの状態となり、位置情報を受信すると（Ｓ６３：ＹＥＳ）、制御部１０は、受信した位置情報に対して、Ｘ座標には、受信した座標値に１を加えると共に、Ｙ座標は受信した座標値と同値を用いて、自位置の座標として特定する（Ｓ６４）。
【００８６】
なお、このように左方向のみで認識信号を受信する場合とは（Ｓ６２：ＹＥＳ）、例えば、図３（ａ）に示すような水平方向で直列状のマルチ・ディスプレイ・システム５０が構築される場合で、制御部１０に係るディスプレイ装置が（Ｘ、Ｙ）＝（２、１）のような右端箇所に位置すると推定できる。それから、制御部１０は、特定した位置情報と共に位置情報の特定完了の旨を示す完了信号を、左側面２ｃの無線通信ユニット６を用いて、左方向へ送信する（Ｓ６５）。
【００８７】
また、Ｓ６２の段階で、認識信号の受信が左方向からの受信でない場合（Ｓ６２：ＮＯ）、制御部１０は、認識信号の受信が下方向から受信であるか否かを判断する（Ｓ６６）。下方向で受信しない場合（Ｓ６６：ＮＯ）、図１３の第６フローチャートに示す処理へ移行する。また、下方向からの受信がある場合（Ｓ６６：ＹＥＳ）、次に、下側面２ｂの無線通信ユニット５で下方向から位置情報（位置座標）を受信したか否かを判断する（Ｓ６７）。位置情報を受信しない場合（Ｓ６７：ＮＯ）、位置情報の受信待ちの状態となり、下方向から位置情報を受信した場合（Ｓ６７：ＹＥＳ）、制御部１０は、受信した位置情報に対して、Ｘ座標は同値にして、Ｙ座標には受信した座標値に１を加えた値を自位置の座標として特定する（Ｓ６８）。
【００８８】
なお、このように下方向のみで認識信号を受信する場合とは（Ｓ６６：ＹＥＳ）、例えば、図３（ｃ）に示すような垂直方向で直列状のマルチ・ディスプレイ・システム７０が構築される場合で、制御部１０に係るディスプレイ装置が（Ｘ、Ｙ）＝（１，２）のような上端箇所に位置すると推定できる。それから、制御部１０は、特定した位置情報と共に位置情報の特定完了の旨を示す完了信号を、下側面２ｂの無線通信ユニット５を用いて、下方向へ送信する（Ｓ６９）。
【００８９】
図１３は、図１２の第５フローチャートにおいて、Ｓ６６の段階で、下方向で認識信号を受信しなかった場合（Ｓ６６：ＮＯ）の処理手順を示す第６フローチャートである。この第６フローチャートにおいて、制御部１０は、右側面２ｄの無線通信ユニット７で右方向から認識信号を受信したか否かを判断する（Ｓ７０）。右方向で認識信号を受信した場合は（Ｓ７０：ＹＥＳ）、図３（ａ）（ｂ）に示すような水平方向で直列状のマルチ・ディスプレイ・システム５０、６０が構築されるときで、制御部１０に係るディスプレイ装置が（Ｘ、Ｙ）＝（１、１）の基準に位置すると直ちに判明するから、自位置を基準として特定できる（Ｓ７１）。そして、制御部１０は、特定した座標値を右側面２ｄの無線通信ユニット７を用いて右方向へ送信する（Ｓ７２）。
【００９０】
また、右方向で認識信号を受信しなかった場合（Ｓ７０：ＮＯ）、図３（ｃ）（ｄ）に示すような垂直方向で直列状のマルチ・ディスプレイ・システム７０、８０が構築されるときで、制御部１０に係るディスプレイ装置が（Ｘ、Ｙ）＝（１、１）の基準に位置すると直ちに判明するから、自位置を基準として特定できる（Ｓ７３）。そして、制御部１０は、特定した座標値を上側面２ａの無線通信ユニット４を用いて右方向へ送信する（Ｓ７４）。
【００９１】
このように、座標系における自位置を特定した各ディスプレイ装置Ａ、Ｂ等の制御部１０は、特定した自位置が（Ｘ、Ｙ）＝（１、１）の基準である場合、マスターのディスプレイ装置として機能するようになり、自位置が基準以外にある場合、スレ−ブのディスプレイ装置として機能するようになる。基準に位置するマスターのディスプレイ装置Ａの制御部１０は、他（スレーブ）のディスプレイ装置から完了信号（位置情報を含む信号）が送信されてくるのを待ち、全スレーブのディスプレイ装置から完了信号を受け取ると、受け取った完了信号に含まれる各位置情報より、構築されたマルチ・ディスプレイ・システム１の形態（行数・列数）を特定し、特定した行数・列数をスレーブのディスプレイ装置へ、図７（ａ）に示す順路で伝送する。これにより、スレーブの各ディスプレイ装置は、構築されたシステム全体における自位置を特定でき、この特定した自位置に基づき、以降の表示範囲の特定処理を行うことになる。
【００９２】
以上の説明で、組合せに係る初期設定の処理手順は終了することになり、このような処理を行うことで、マルチ・ディスプレイ・システムが、図１及び図３（ｅ）に示すような格子状の形態、図３（ａ）（ｂ）に示す水平方向での直列状の形態、又は図３（ｃ）（ｄ）に示す垂直方向での直列状の形態のいずれの場合であっても、各ディスプレイ装置Ａ〜Ｐの制御部１０はシステム全体における自位置を特定できるようになる。
【００９３】
また、上記のような初期設定の処理が終了すると、次に、制御部１０は表示範囲特定手段として、特定した自位置に応じた表示範囲の特定処理を行うことになる。図１に示す格子状のマルチ・ディスプレイ・システム１において、表示対象となる画像（画像ソース）が、図１４（ａ）に示すような画像Ｇである場合、各ディスプレイ装置Ａ〜Ｐが表示すべき画像の区分は、図１４（ｂ）に示すように画像区分Ｇａ〜Ｇｐとして特定できる。そのため、各ディスプレイ装置Ａ〜Ｐの制御部１０は、まず、特定した自位置に基づいて、自身が表示すべき表示範囲が、画像Ｇの画像区分Ｇａ〜Ｇｐの中のいずれになるかを特定することになる。
【００９４】
また、特定した画像区分Ｇａ〜、Ｇｐをそのまま、各ディスプレイ装置Ａ〜Ｐで表示したとなると、各ディスプレイ装置Ａ〜Ｐの装置筐体２の額縁状の縁部分が正面に占める領域、及び組み合わされたディスプレイ装置間の隙間寸法が存在することにより、図１４（ａ）に示すような画像Ｇと相似形で拡大表示を行えない。そのため、各ディスプレイ装置Ａ〜Ｐの制御部１０は、装置筐体２の額縁サイズ、及び装置間の隙間寸法に基づいて、実際にディスプレイ画面部３で表示する表示範囲を特定することになる。
【００９５】
図６（ｂ）は、ディスプレイ装置Ａとディスプレイ装置Ｂの対向する装置筐体間の隙間寸法ｃ（ディスプレイ装置Ａの装置筐体２の上面２ａとディスプレイ装置Ｂの装置筐体２の下面２ｂの距離）を示している。このような隙間寸法ｃの検出には、図５に示す送信側電界強度検出部３３及び受信側電界強度検出部４６で検出された電界強度を利用することになる（電力検出）。図４に示されるＲＯＭ１９に記憶されるプログラムｐには、電界強度を距離寸法に換算する計算式が含まれており、制御部１０は距離検出手段として、検出された電界強度から隙間寸法ｃを検出することになる。ただし、制御部１０が利用する電界強度は、対象となる隙間寸法ｃで対向して位置する無線通信ユニットで検出される電界強度の平均値となる。
【００９６】
すなわち、図６（ｂ）に示す場合では、ディスプレイ装置Ａの制御部１０は、自己の無線通信ユニット４の送受信部４ａ、４ｂから電界強度を受け取るが、隙間寸法ｃを挟んで対向するディスプレイ装置Ｂの下側面の無線通信ユニット５の送受信部５ａ、５ｂで検出された電界強度も、無線通信により、ディスプレイ装置Ｂから受け取り、計４つの電界強度の平均値を制御部１０は算出する。制御部１０は、その平均値の電界強度から隙間寸法ｃを求めて、隙間寸法ｃの検出を行うことになる。このように自己の送受信部で検出された電界強度に加えて、組合せ先で検出された電界強度も利用することで、各無線通信ユニットで検出された電界強度を平均化でき、隙間寸法ｃの検出精度の向上に役立てられる。なお、このような隙間寸法ｃの検出処理は、図６（ｂ）において対向先となるディスプレイ装置Ｂでも同様に行われると共に、マルチ・ディスプレイ・システムにおける全ての対向先で、同様な隙間寸法の検出処理が行われる。
【００９７】
また、図１５（ａ）〜図１６（ｂ）は、図１のマルチ・ディスプレイ・システム１の各所に配置されるディスプレイ装置ごとに算出される表示範囲を示している。まず、図１５（ａ）は、基準の（Ｘ、Ｙ）＝（１、１）に配置されるディスプレイ装置Ａが、図１４（ｂ）に示す画像区分Ｇａの中から特定する表示範囲Ｇａ′の寸法比率及び位置関係を示している。ディスプレイ装置Ａの制御部１０は、水平・垂直方向における表示範囲Ｇａ′の寸法及び位置を、ＲＯＭ１９に記憶している額縁サイズデータｄ（図６に示す装置筐体２の各部の寸法）及び上述した検出処理で求めた隙間寸法ｃから求めることになる。
【００９８】
具体的には、画像区分Ｇａの水平方向寸法（画素数寸法）を、装置筐体２の水平寸法ｗ１と隙間寸法ｃの１／２寸法（ｃ／２）の和として割り当てると共に、画像区分Ｇａの垂直方向寸法（画素数寸法）を、装置筐体２の垂直寸法ｈ１と隙間寸法ｃの１／２寸法（ｃ／２）の和として、制御部１０は割り当てる処理を行う。次に、制御部１０は、水平方向において画像区分Ｇａの左辺から、左額縁幅寸法ｗ２を確保した位置を表示範囲Ｇａ′の左端として特定すると共に、画像区分Ｇａの右辺から、隙間寸法ｃの１／２寸法（ｃ／２）及び右額縁幅寸法ｗ３を確保した位置を表示範囲Ｇａ′の右端として特定し、表示範囲Ｇａ′の左端から右端までの寸法を水平寸法ｗ４として特定する（ｗ４＝ｗ１−ｗ２−ｗ３）。また、制御部１０は、垂直方向において画像区分Ｇａの下辺から、下額縁幅寸法ｈ３を確保した位置を表示範囲Ｇａ′の下端として特定すると共に、画像区分Ｇａの上辺から、隙間寸法ｃの１／２寸法（ｃ／２）及び上額縁幅寸法ｈ２を確保した位置を表示範囲Ｇａ′の上端として特定し、表示範囲Ｇａ′の下端から上端までの寸法を垂直寸法ｈ４として特定する（ｈ４＝ｈ１−ｈ２−ｈ３）。
【００９９】
よって、基準に位置するディスプレイ装置Ａの制御部１０は、マルチ・ディスプレイ・システム１として、図１４（ａ）の画像Ｇを表示する場合、上述したように特定した画像区分Ｇａの中の位置における寸法比の表示範囲Ｇａ′（図１７参照）をディスプレイ画面部３に表示することになる。また、図１において、基準（左下隅）の対角に位置するディスプレイ装置Ｐは、図１５（ａ）の上下左右を反転させた内容に基づき、表示範囲Ｇｐ′（図１７参照）を表示する。
【０１００】
次に、図１５（ｂ）は、（Ｘ、Ｙ）＝（１、２）、（１、３）に配置されるディスプレイ装置Ｂ、Ｃが、画像区分Ｇｂ、Ｇｃの中から特定する表示範囲Ｇｂ′、Ｇｃ′の寸法比率及び位置関係を示しており、ディスプレイ装置Ｂ、Ｃのそれぞれの制御部１０は、以下のような処理で表示範囲Ｇｂ′、Ｇｃ′（図１７参照）を特定する。
【０１０１】
すなわち、制御部１０は、水平方向において上述した図１５（ａ）と同等の処理を行って、表示範囲Ｇａ′の左端から右端までの寸法を水平寸法ｗ４として特定する（ｗ４＝ｗ１−ｗ２−ｗ３）。また、制御部１０は、垂直方向において画像区分Ｇｂ（又はＧｃ）の下辺から、隙間寸法ｃの１／２寸法（ｃ／２）及び下額縁幅寸法ｈ３を確保した位置を表示範囲Ｇｂ′（又はＧｃ′）の下端として特定すると共に、画像区分Ｇｂ（又はＧｃ）の上辺から、隙間寸法ｃの１／２寸法（ｃ／２）及び上額縁幅寸法ｈ２を確保した位置を表示範囲Ｇｂ′（又はＧｃ′）の上端として特定し、表示範囲Ｇｂ′（Ｇｃ′）の下端から上端までの寸法を垂直寸法ｈ５として特定する（ｈ５＝ｈ１−ｈ２−ｈ３）。
【０１０２】
よって、ディスプレイ装置Ｂ、Ｃのそれぞれの制御部１０は、マルチ・ディスプレイ・システム１として、図１４（ａ）の画像Ｇを表示する場合、上述したように特定した画像区分Ｇｂ、Ｇｃの中の位置における寸法比の表示範囲Ｇｂ′、Ｇｃ′をディスプレイ画面部３に表示することになる。また、図１において、（Ｘ、Ｙ）＝（１、２）、（１、３）に配置されるディスプレイ装置Ｂ、Ｃと対向して右端の（Ｘ、Ｙ）＝（４、２）、（４、３）に配置されるディスプレイ装置Ｎ、Ｏは、図１５（ｂ）の左右を反転させた内容に基づき、表示範囲Ｇｎ′、Ｇｏ′（図１７参照）を表示する。
【０１０３】
さらに、図１６（ａ）は、（Ｘ、Ｙ）＝（２、１）、（３、１）に配置されるディスプレイ装置Ｅ、Ｉが、画像区分Ｇｅ、Ｇｉの中から特定する表示範囲Ｇｅ′、Ｇｉ′の寸法比率及び位置関係を示しており、ディスプレイ装置Ｅ、Ｉのそれぞれの制御部１０は、以下のような処理で表示範囲Ｇｅ′、Ｇｉ′（図１７参照）を特定する。
【０１０４】
すなわち、制御部１０は、水平方向において、画像区分Ｇｅ（又はＧｉ）の左辺から、隙間寸法ｃの１／２寸法（ｃ／２）及び左額縁幅寸法ｗ２を確保した位置を表示範囲Ｇｅ′（又はＧｉ′）の左端として特定すると共に、画像区分Ｇｅ（又はＧｉ）の右辺から、隙間寸法ｃの１／２寸法（ｃ／２）及び右額縁幅寸法ｗ３を確保した位置を表示範囲Ｇｅ′（又はＧｉ′）の右端として特定し、表示範囲Ｇｅ′（又はＧｉ′）の左端から右端までの寸法を水平寸法ｗ５として特定する（ｗ５＝ｗ１−ｗ２−ｗ３）。また、制御部１０は、垂直方向において、上述した図１５（ａ）と同等の処理を行って、表示範囲Ｇｅ′（又はＧｉ′）の下端から上端までの寸法を水平寸法ｈ４として特定する（ｈ４＝ｈ１−ｈ２−ｈ３）。
【０１０５】
よって、ディスプレイ装置Ｅ、Ｉのそれぞれの制御部１０は、マルチ・ディスプレイ・システム１として、図１４（ａ）の画像Ｇを表示する場合、上述したように特定した画像区分Ｇｅ、Ｇｉの中の位置における寸法比の表示範囲Ｇｅ′（又はＧｉ′）をディスプレイ画面部３に表示することになる。また、図１において、（Ｘ、Ｙ）＝（２、１）、（３、１）に配置されるディスプレイ装置Ｅ、Ｉと対向して上端の（Ｘ、Ｙ）＝（２、４）、（３、４）に配置されるディスプレイ装置Ｈ、Ｌは、図１６（ａ）の上下を反転させた内容に基づき、表示範囲Ｇｈ′、Ｇｌ′（図１７参照）を表示する。
【０１０６】
最後に、図１６（ｂ）は、（Ｘ、Ｙ）＝（２、２）、（２、３）、（３、２）、（３、３）に配置されるディスプレイ装置Ｆ、Ｇ、Ｊ、Ｋが、画像区分Ｇｆ、Ｇｇ、Ｇｊ、Ｇｋの中から特定する表示範囲Ｇｆ′、Ｇｇ′、Ｇｊ′、Ｇｋ′の寸法比率及び位置関係を示しており、ディスプレイ装置Ｆ、Ｇ、Ｊ、Ｋのそれぞれの制御部１０は、以下のような処理で表示範囲Ｇｆ′、Ｇｇ′、Ｇｊ′、Ｇｋ′（図１７参照）を特定する。
【０１０７】
すなわち、制御部１０は、水平方向において、上述した図１６（ａ）と同等の処理を行って、表示範囲Ｇｆ′、Ｇｇ′、Ｇｊ′、Ｇｋ′の左端から右端までの寸法を水平寸法ｗ５として特定する（ｗ５＝ｗ１−ｗ２−ｗ３）。また、制御部１０は、垂直方向において、上述した図１５（ｂ）と同等の処理を行って、表示範囲Ｇｆ′、Ｇｇ′、Ｇｊ′、Ｇｋ′の下端から上端までの寸法を水平寸法ｈ５として特定する（ｈ５＝ｈ１−ｈ２−ｈ３）。なお、マルチ・ディスプレイ・システム１の周辺に位置するディスプレイ装置（ディスプレイ装置Ｆ、Ｇ、Ｊ、Ｋ）は、特定した表示範囲の寸法比率に端数が生じた場合、周辺側（外側）の額縁部分で表示範囲を覆うか、周辺側に黒帯部分を表示するなどして、各表示範囲の比率を統一する調整処理を適宜行うことになる。
【０１０８】
よって、マルチ・ディスプレイ・システム１の各ディスプレイ装置Ａ〜Ｐが、上述したような表示範囲の特定を行ってから、特定した表示範囲を各自が表示することにより、本実施形態のマルチ・ディスプレイ・システム１は、図１４（ａ）に示す画像Ｇを、図１７に示すように、ズレのない相似形で拡大表示することができる。しかも、このようなマルチ・ディスプレイ・システム１は、各ディスプレイ装置Ａ〜Ｐのディスプレイ画面部３を組み合わせて表示画面を形成するために、超高解像度を得ることができる。
【０１０９】
たとえば、図３（ｅ）に示すように計４台のディスプレイ装置Ａ〜Ｄで、マルチ・ディスプレイ・システム９０を構成した場合で、各ディスプレイ装置Ａ〜Ｄがフルハイビジョン対応の解像度を有していれば、マルチ・ディスプレイ・システム９０では、その４倍の解像度で画像を表示することができ、ユーザは手軽に超高解像度で表示される画像を楽しめると共に、本発明をテレビジョン装置とコンピュータ用のモニター装置等を組み合わせる等の手法に適用すれば、マルチ・ディスプレイ・システムを構築するという新たな需要を生み出す要因にまで発展可能である。さらに、本発明を用いれば、民生用のディスプレイ装置を、業務用の大型モニター等へ転用しやすくなり、民生用のディスプレイ装置の利用範囲を拡大できる。
【０１１０】
また、上述したように、組合せに係る初期設定が終了すると、基準に位置するマスターのテレビジョン装置（図１のマルチ・ディスプレイ・システム１ではディスプレイ装置Ａ）の制御部１０が、他のスレーブのディスプレイ装置（例えば、ディスプレイ装置Ｂ〜Ｐ）へリモコン受光部８で受光する操作信号に反応しないようにする旨の指示信号を送信し、それにより、スレーブのディスプレイ装置はリモコン装置２５に反応しなくなる。
【０１１１】
それから、マスターのテレビジョン装置Ａの制御部１０は、メモリ２０に記憶されている設定項目（彩度、色相、明度等）に係る設定テーブルｔを、図７（ａ）に示す順路で他のスレーブのディスプレイ装置Ｂ〜Ｐへ送信する。これにより、マルチ・ディスプレイ・システムを構成する各ディスプレイ装置の設定値が統一されることになる。また、ユーザがリモコン装置２５の操作により設定値を変更した場合でも、上記と同様に、変更された設定値がマスターのテレビジョン装置からスレーブのディスプレイ装置へ図７（ａ）に示す伝送順路で伝送されて、変更された設定値が全てのディスプレイ装置へ反映されることになる。また、ユーザが、音量、チャンネルの変更等をリモコン装置２５で操作した場合でも、同様に、音量変更指示信号、チャンネル変更指示信号がマスターのテレビジョン装置からスレーブのディスプレイ装置へ図７（ａ）に示す伝送順路で伝送され、それにより全ディスプレイ装置へ音量、チャンネル変更等の各種操作も、マスターのテレビジョン装置用のリモコン装置のみで行える。このように、本実施形態のマルチ・ディスプレイ・システムは、複数のディスプレイ装置が存在しても、ユーザは１台のディスプレイ装置を操作する感覚で扱うことができる。
【０１１２】
また、このようなマルチ・ディスプレイ・システムでは、周囲側面に表出する無線通信ユニットは、対向する組合せ先が存在しないフリーな状態であるため、フリーな状態の無線通信ユニットは、他の用途に利用することが可能になる。さらに、複数のディスプレイ装置でマルチ・ディスプレイ・システムを構築する場合でも、各ディスプレイ装置を有線で接続する必要がないため、本発明のマルチ・ディスプレイ・システムでは、各ディスプレイ装置の組合せ作業の手間を従来より大幅に削減できる。
【０１１３】
なお、本実施形態のマルチ・ディスプレイ・システム及びディスプレイ装置は、上述した形態に限定されるものではなく、様々な変形例を考えることができる。たとえば、図２（ａ）（ｂ）に示すディスプレイ装置Ａのように、四方向の全てに無線通信ユニット４〜７を設けるのではなく、組み合わされる側にのみ無線通信ユニットを設けて、マルチ・ディスプレイ・システムにおける各箇所専用のディスプレイ装置を作成することも可能である。
【０１１４】
たとえば、図１のマルチ・ディスプレイ・システム１において、左下隅専用として、左側面及び下側面の無線通信ユニットを省略したディスプレイ装置を作成することも可能である。同様に、図１の（Ｘ、Ｙ）＝（２、１）、（３、１）用として、下側面の無線通信ユニットを省略したディスプレイ装置を作成することも可能である。
【０１１５】
また、図１８は、別の変形例のディスプレイ装置１００の背面１０２ｆ側を示したものである。この変形例のディスプレイ装置１００は、より汎用性を高めるために、ディスプレイ装置１００と、無線通信ユニット１０４〜１０７を別体にしている。この別体の無線通信ユニット１０４〜１０７を装置筐体１０２の周囲となる各側面１０２ａ〜１０２ｄの任意の箇所に適宜取り付けられるように、背面１０２ｆ側の周囲を正面側より窪ませて、各無線通信ユニット１０４〜１０７の配置スペースを確保し、その窪ませた周囲の各側面１０２ａ〜１０２ｄの任意の位置に、無線通信ユニット１０４〜１０７のハウジング底面１０４ｃ〜１０７ｃを係合固定できるように、各側面１０２ａ〜１０２ｄに係止部を設けたものになっている。
【０１１６】
また、装置筐体１０２の背面１０２ｆには、別体の無線通信ユニット１０４〜１０７の接続端子１０４ｅ〜１０７ｅが接続可能な上用コネクタ１０９ａ、下用コネクタ１０９ｂ、左用コネクタ１０９ｃ、右用コネクタ１０９ｄ、及びオプション用コネクタ１０９ｅが設けられている。なお、別体の各無線通信ユニット１０４〜１０７は、送信部１０４ａ〜１０７ａ及び受信部１０４ｂ〜１０７ｂを有すると共に、端末に接続端子１０４ｅ〜１０７ｅを取り付けたケーブル１０４ｄ〜１０７ｄを延出している。なお、無線通信ユニット１０４〜１０７は全て同一の仕様であり、互換性を有するものになっている。
【０１１７】
このような変形例のディスプレイ装置１００を用いて、図３（ｅ）に示すマルチ・ディスプレイ・システム９０を構築するには、まず（Ｘ、Ｙ）＝（１、１）の基準用として、装置筐体１０２の無線通信ユニット１０４の接続端子１０４ｄを上用コネクタ１０９ａに接続すると共に、無線通信ユニット１０７の接続端子１０７ｄを右用コネクタ１０９ｄに接続し、各無線通信ユニット１０４、１０７を上側面１０２ａ、右側面１０２ｄの長手方向の中央箇所に取り付ける。同様な構成で、残りの三箇所に対しても、計２個の無線通信ユニットを配置したディスプレイ装置を準備することで、無線通信ユニットの数の無駄にしない構成のマルチ・ディスプレイ・システムを構築することが可能になる。
【０１１８】
図１９（ａ）（ｂ）は、サイズの異なるディスプレイ装置１２０、１３０を組み合わせて構成した変形例のマルチ・ディスプレイ・システム１１０を示しており、この変形例のマルチ・ディスプレイ・システム１１０には、図１８に示す変形例のディスプレイ装置の構成が有効となる。すなわち、図１８に示す構成では、無線通信ユニットを自由に配置することが可能であるため、小さいサイズのディスプレイ装置１３０では、装置筐体１３２の左側面１３２ｃの長手方向における中央箇所に無線通信ユニット１３６を取り付ける。一方、大きいサイズのディスプレイ装置１３０は、両方のディスプレイ装置１２０、１３０の下端をそろえた状態で、両装置の側面同士を対向させた場合、ディスプレイ装置１３０に取り付けられた無線通信ユニット１３６と対向できる箇所で、装置筐体１２２の右側面１２２ｄに無線通信ユニット１２７を取り付ける。
【０１１９】
このようにすることで、組み合わせるディスプレイ装置同士のサイズが異なっても、それぞれの無線通信ユニット１２７、１３６を対向させて確実に無線通信を行えるようになる。なお、図１９（ａ）（ｂ）に示すような形態のマルチ・ディスプレイ・システム１１０は特に、ＰｉｎＰ（ピクチャ・イン・ピクチャ）画像を表示する場合に好適となり、例えば、ＰｉｎＰ画像の親画像を大きいサイズのディスプレイ装置１２０で表示する一方、子画像を小さいサイズのディスプレイ装置１３０で表示すれば、いままで、子画像で占有されていた親画像の領域も一度に見ることができる。また、図１９（ａ）（ｂ）に示すような形態のマルチ・ディスプレイ・システム１１０は、インターネット・ブラウジング等にも好適であり、たとえば、メインとなるウェブ画像を大きいサイズのディスプレイ装置１２０で表示する一方、リンク先のウェブ画像を小さいサイズのディスプレイ装置１３０で表示するような使い方も可能となる。
【０１２０】
また、図２０（ａ）（ｂ）は、図１８の変形例のディスプレイ装置１００の構成を適用した別の変形例のマルチ・ディスプレイ・システム１５０を示している。この変形例のマルチ・ディスプレイ・システム１５０は、異なるサイズのディスプレイ装置を複数組み合わせて構成されており、図２０（ｂ）に示すように、異なるサイズのディスプレイ装置１６０と、ディスプレイ装置１７０及びディスプレイ装置１８０とを組み合わせる箇所に図１８に示す変形例の構成を適用することになる。
【０１２１】
すなわち、サイズの小さい方のディスプレイ装置１７０、１８０については、装置筐体１７２、１８２の左側面１７２ｃ、１８２ｃの長手方向（垂直方向）の中央箇所に、無線通信ユニット１７６、１８６をそれぞれ取り付けている。一方、これら２台のディスプレイ装置１７０、１８０と対向する大きいサイズのディスプレイ装置１６０は、装置筐体１６２の右側面１６２ｄに計２個の無線通信ユニット１６７、１６９を取り付けており、一方の無線通信ユニット１６７の取付位置は、ディスプレイ装置１７０の無線通信ユニット１７６と対向する箇所になっており、他方の無線通信ユニット１６９の取付位置は、ディスプレイ装置１８６と対向する箇所になっている。
【０１２２】
なお、大きいサイズのディスプレイ装置１６０は、図１８に示す変形例と同様に、装置筐体１６２の背面に計５個のコネクタを備えており、計５個の中の右用コネクタに一方の無線通信ユニット１６７を接続すると共に、オプション用コネクタに他方の無線通信ユニット１６９を接続している。このようにすることで、大きいサイズのディスプレイ装置１６０は、小さいサイズの計２台のディスプレイ装置１７０、１８０と無線通信が可能になり、図２０（ａ）に示すマルチ・ディスプレイ・システム１５０でも、図１に示すマルチ１と同様な処理を行うことができ、複数のディスプレイ装置を１台の装置であるかのように、ユーザは容易に扱うことができる。
【産業上の利用可能性】
【０１２３】
本発明は、複数のディスプレイ装置を組み合わせたマルチ・ディスプレイ・システムにおいて、無線通信を用いて各ディスプレイ装置を接続したので、初期設定・各種設定等に要するユーザ負担を従来に比べて大幅に低減でき好適となると共に、マルチ・ディスプレイ・システムを１台のディスプレイ装置として扱うことが可能になる。
【符号の説明】
【０１２４】
１  マルチ・ディスプレイ・システム
２  装置筐体
２ａ  上側面
２ｂ  下側面
２ｃ  左側面
２ｄ  右側面
３  ディスプレイ画面部
４〜７  無線通信ユニット
８  リモコン受光部
１０  制御部
２５  リモコン装置
３３  送信側電界強度検出部
４６  受信側電界強度検出部
Ａ〜Ｐ  ディスプレイ装置
【図１】
2011257540.tif 000003
【図２】
2011257540.tif 000004
【図３】
2011257540.tif 000005
【図４】
2011257540.tif 000006
【図５】
2011257540.tif 000007
【図６】
2011257540.tif 000008
【図７】
2011257540.tif 000009
【図８】
2011257540.tif 000010
【図９】
2011257540.tif 000011
【図１０】
2011257540.tif 000012
【図１１】
2011257540.tif 000013
【図１２】
2011257540.tif 000014
【図１３】
2011257540.tif 000015
【図１４】
2011257540.tif 000016
【図１５】
2011257540.tif 000017
【図１６】
2011257540.tif 000018
【図１７】
2011257540.tif 000019
【図１８】
2011257540.tif 000020
【図１９】
2011257540.tif 000021
【図２０】
2011257540.tif 000022